(57)【要約】【課題】稀土鉱石／トルマリン／長石等に含まれるトリウム、ウラン系列核種等は放射性壊変によってα線、β線や、残留核を発生し、水等と反応して、その化学結合やファンデルワールス力を切断し、マイナスイオン等の化学種を発生する。この発生量を増加させるため各種ミネラルの配合を検討した。【解決手段】マイナスイオン、プラスイオン、遊離基等の化学種の発生量の増加に関する諸問題を解決するため、海面下２００メートル以上の深海から取水した深層海水、湧昇海水または、深層水を濃縮して得られる苦汁のミネラルの作用に着目して種々化学的検討を行い、苦汁、希土鉱石／トルマリン／長石を配合したアクリルエマルジョン樹脂塗料が、化学種の発生量を増加させることができることを明らかにした【特許請求の範囲】
【請求項１】
稀土鉱石／トルマリン／長石とよりなる、アクリルエマルジョン樹脂塗料。
【請求項２】
アクリルエマルジョン樹脂塗料中の稀土鉱石及びトルマリン成分量が各々１ｐｐｍ−３０重量％、長石が１ｐｐｍ−７０重量％である請求項１記載の、アクリルエマルジョン樹脂塗料。
【発明の詳細な説明】
【０００１】
【産業上の利用分野】
この発明は稀土鉱石を利用して製造されるアクリルエマルジョン樹脂塗料に関するものであり、含まれる、トリウム（Ｔｈ）、ラジウム（Ｒａ）の放射性壊変によって発生するα線、β線、残留核等の反跳エネルギーが空気中の水分と反応してマイナスイオン（ＯＨ−）、プラスイオン、遊離基（ｒａｄｉｃａｌ）等を発生する効果を有する、アクリルエマルジョン樹脂塗料の製造に関するものである。
【０００２】
【従来の技術及び発明が解決しようとする課題】
稀土鉱石、トルマリン、長石等に含まれるトリウム（Ｔｈ）、ウラン（Ｕ）系列核種等の作用により固気界面近辺で遊離基、アニオン、カチオンの何れもが生成する。放射性壊変によって発生するα線、β線や、残留核（Ｒｎ等：数百ｅＶの反跳エネルギーを有する）は水等と反応して、その化学結合（数ｅＶ）を切断する。その結果ＯＨ−等のマイナスイオン、プラスイオン、遊離基（ｒａｄｉｃａｌ）等の化学種（ｃｈｅｍｉｃａｌ  ｓｐｅｃｉｅｓ）を発生する。
【０００３】
本発明者はマイナスイオン、プラスイオン、遊離基等の化学種の発生に関する諸問題を解決するため、稀土鉱石、トルマリンの作用に着目して種々化学的検討を行った結果、本発明に到達したものである。
【０００４】
【課題を解決するための手段】
即ち、本発明の請求項１の発明は、稀土鉱石／トルマリン／長石とよりなる、アクリルエマルジョン樹脂塗料に関するものである。
【０００５】
本発明の請求項２の発明は、アクリルエマルジョン樹脂塗料中の稀土鉱石及びトルマリン成分量が各々１ｐｐｍ−３０重量％、長石が１ｐｐｍ−７０重量％である請求項１記載の、アクリルエマルジョン樹脂塗料に関するものである。
【０００６】
【発明の実施の形態】
本発明の塗料は、稀土鉱石を利用したものであり、放射性壊変によって発生するα線、β線や、残留核と相互作用し、効率よくマイナスイオン等の化学種を発生するアクリルエマルジョン樹脂塗料である。
【０００７】
本発明で添加する稀土鉱石は、フェルグソン鉱石等であり、トリウム１．８％以下、ウラン０．６％以下である。放射能濃度は３７０Ｂｑ／ｇ以下で、核原料物質、核燃料物質及び原子炉の規制に関する法律（施行例第１９条）、電離放射線障害防止規制（労働省第４１号）で、いずれも対象外である。
【０００８】
本発明で添加するトルマリンは、電気石とも称されるものであり、その代表的な化学組成は、３（ＮａＸ３Ａｌ６（ＢＯ３）Ｓｉ６Ｏ１８（ＯＨＦ）４）（Ｘ＝Ｍｇ，  Ｆｅ，  Ｌｉ，  Ａｌ等）である（久保哲治郎、新しい水の科学と利用技術、３０３（１９９２））。
【０００９】
本発明で添加する長石は、化学組成がＳｉＯ２  ５６．５９％，  Ａｌ２Ｏ３  １２．６０％，  Ｆｅ２Ｏ３  ０．３４％，  ＣａＯ  ０．４０％，  ＭｇＯ  ０．１５％，  Ｎａ２Ｏ  ２．４１％，  Ｋ２Ｏ  ７．７５％，  Ｕ３Ｏ８  ０．０１％，  ＴｈＯ２  １．４２％  Ｒ２Ｏ３  （Ｔｏｔａｌ  ｒａｒｅ  ｅａｒｔｈ）  １２．００％，  ＺｙＯ２  ０．３０％，  Ｐ２Ｏ５  ５．６２％  のものである。
【００１０】
【実施例】
以下、実施例により本発明を説明する。
稀土鉱石２．５Ｋｇ、トルマリン２．５Ｋｇ、長石５Ｋｇを１０Ｋｇ湿式ボールミルで２４０時間擦って粒子径２ミクロン以下に破砕する。得られたエマルジョンを水性アクリル樹脂エマルジョン２００Ｋｇに添加する。得られた、混合液を攪拌機で攪拌して水性アクリル樹脂塗料を得る。
【００１１】
得られた塗料をマルチチャンネル波高分析器によるγ線スペクトル測定したところ、ウラン系列核種とトリウム系列核種から放出されるγ線が検出された。ウラン系列核種では、親核種２３８Ｕの娘核種である２２６Ｒａ，  ２１４Ｐｂ，  ２１４Ｂｉから放出されるγ線が検出された。また、トリウム系列核種では親核種Ｔｈ２３８の娘核種である２２８Ａｃ，  ２１２Ｐｂ，  ２１２Ｂｉ，  ２０８Ｔｌから放出されるγ線が検出された。これらの核種について放射能濃度および、放射平衡を仮定したときの系列親核種の質量濃度を計算した。
【００１２】
ウラン系列
核種  γ線のエネルギー（ＫｅＶ）  放射能濃度  放射平衡成立時Ｕ濃度（％）
２２６Ｒａ        １８６．０                    ０．８９±０．２１      ０．００７５±０．００１７
２１４Ｐｂ        ３５２．０                    ０．８８±０．０６      ０．００７４±０．０００５
２１４Ｂｉ        ６０９．３                    ０．８６±０．０６      ０．００７１±０．０００５
【００１３】
トリウム系列
核種  γ線のエネルギー（ＫｅＶ）  放射能濃度  放射平衡成立時Ｔｈ濃度（％）
２２８Ａｃ        ９１１．２                  ６．９±０．２        ０．１７±０．０５
２１２Ｐｂ        ３００．１                  ６．８±０．６        ０．１７±０．０２
２１２Ｂｉ        ７２７．２                  ６．４±０．５        ０．１６±０．０１
２０８Ｔｌ        ５８３．１                  ２．６±０．０６        ０．１８±０．０４
【００１４】
これらの結果は、ウラン、トリウム濃度とも安全基準値の１／１００に収まっている。放射能濃度についても届出値（３７０Ｂｑ／ｇ）を下回るものである。
また、空気イオンカウンターにてマイナスイオン量を測定したところ、５，０００−１００００個／ｃｍ３であった。
【００１５】本実施例の水性アクリル樹脂塗料を公衆トイレの内装壁面に塗布したところ、トイレの悪臭が消失し、マイナスイオンが豊富な滝の近辺にいるような爽快な気持ちのする空気に変質した。
【００１６】
本実施例の水性アクリル樹脂塗料をＯＡ室の内装壁面に塗布したところ、目の疲れ、ストレス感が緩和された。病室の内装壁面に塗布したところ、ＭＲＳＡの発生を抑制することができた。新築家屋壁面に塗布したところ、ホルマリン発生に起因するシックハウス症候群が解消した。室内壁面に塗布することによって、たばこの紫煙が分解されにおいが低減する。さらに、壁面のタール付着による汚れが低減する。
【００１７】
本実施例の水性アクリル樹脂塗料を居室壁面に塗布し、加湿器で４０％以上に湿度を保つことによって、花粉症の発現が抑止される。
【００１８】
本実施例の水性アクリル樹脂塗料をＯＡ機器ケース、家具表面に塗布することによって室内のマイナスイオン量を漸増することができる。
【００１９】
本実施例の水性アクリル樹脂塗料を寝室内壁に塗布することによって、就寝中に呼気中にマイナスイオンを取り込むことによって人や家畜の免疫作用の向上を図り、健全な生活を営むことを可能にする。本文中［／］は［および、または］を意味する。［％］で特に指定なき場合は［重量％］とする。
【００２０】
【発明の効果】
現代生活空間において、ＯＡ機器の氾濫、車の大気汚染、杉花粉の飛来、ＭＲＳＡ等免疫機構への攻撃等様々な環境悪化の影響を人体は被っている。本塗料は生活空間に塗布することによって、マイナスイオンが発生し、人体環境の改善に結びつく効果を発現するものである。